(57)【要約】【課題】本発明は、乗客の履物の裏面が平面状でかつ固い材質である場合にも乗客コンベア乗降時の乗客の滑りを低減させることができる乗客コンベアの櫛板を得ることを目的とするものである。【解決手段】櫛板６の傾斜部６ｂの表面には、複数の突出部８が互いに間隔をおいて設けられている。突出部８の正面である突出部正面８ａは、踏板３の進行方向に交差している。また、突出部正面８ａは、傾斜部６ｂの傾斜方向の上方へ向けられている。さらに、突出部正面８ａの形状は、矩形状である。ここで、全ての突出部８は、突出部正面８ａが同一方向に向けられている。突出部８の上面である突出部上面８ｂは、突出部正面８ａの頂部から傾斜部６ｂの傾斜方向の下方の傾斜部６ｂ表面へ傾斜している。【選択図】図２
2007331903.tif 000002
【特許請求の範囲】
【請求項１】
乗客コンベア乗降口の床部に設置され、踏板表面に設けられたクリートと係合可能な櫛部材が先端部に取り付けられ、滑り止め用の複数の突出部が互いに間隔をおいて表面に設けられた櫛板本体
を備え、
上記突出部の正面である突出部正面は、上記踏板の進行方向に交差しており、
上記突出部の上面である突出部上面は、上記突出部正面から下方へ傾斜していることを特徴とする乗客コンベアの櫛板。
【請求項２】
上記櫛板本体は、上記床部に設置されたときに水平となる水平部が反櫛部材側の端部と中間部との間に設けられており、
上記櫛板本体の上記水平部と上記櫛部材との間には、上記水平部に対して下方へ傾斜する傾斜部が設けられており、
上記突出部は、上記傾斜部表面に配置されていることを特徴とする請求項１記載の乗客コンベアの櫛板。
【請求項３】
上記突出部の断面形状は、上記突出部上面を斜辺とする３角形状であることを特徴とする請求項１又は請求項２に記載の乗客コンベアの櫛板。
【請求項４】
上記突出部正面の形状は、矩形状であることを特徴とする請求項１から請求項３までのいずれか１項に記載の乗客コンベアの櫛板。
【請求項５】
上記突出部正面の頂部には、凸部が設けられていることを特徴とする請求項１から請求項３までのいずれか１項に記載の乗客コンベアの櫛板。
【発明の詳細な説明】
【技術分野】
【０００１】
この発明は、表面に滑り止めが設けられた乗客コンベアの櫛板に関するものである。
【背景技術】
【０００２】
従来の乗客コンベアの乗降口カバーでは、カバー表面に設けられた突出部に乗客の履物の裏面が引っ掛かることによって、カバー上を歩行する乗客の滑りが低減される（例えば、特許文献１参照）。
【０００３】
【特許文献１】特公昭５５−１８２３６号公報
【発明の開示】
【発明が解決しようとする課題】
【０００４】
上記のような従来の乗客コンベアの乗降口カバーでは、突出部の上面の高さが均一となっているため、乗客の履物の裏面が平面状でかつ固い材質である場合、乗客の履物の裏面が突出部に引っ掛かりにくくなっており、乗客の滑りが低減されないことがある。
【０００５】
この発明は、上記のような課題を解決するためになされたものであり、乗客の履物の裏面が平面状でかつ固い材質である場合にも乗客コンベア乗降時の乗客の滑りを低減させることができる乗客コンベアの櫛板を得ることを目的とする。
【課題を解決するための手段】
【０００６】
この発明に係る乗客コンベアの櫛板は、乗客コンベア乗降口の床部に設置され、踏板表面に設けられたクリートと係合可能な櫛部材が先端部に取り付けられ、滑り止め用の複数の突出部が互いに間隔をおいて表面に設けられた櫛板本体を備え、突出部の正面である突出部正面は、踏板の進行方向に交差しており、突出部の上面である突出部上面は、突出部正面の頂部から下方へ傾斜している。
【発明の効果】
【０００７】
この発明の乗客コンベアの櫛板では、突出部正面が踏板の進行方向に交差しており、突出部上面が突出部正面の頂部から下方へ傾斜している複数の突出部が櫛板本体の表面に互いに間隔をおいて設けられているので、突出部上面によって櫛板表面に段差が形成されて、乗客の履物の端部と突出部正面とが当接しやすくなっていることにより、乗客の履物の裏面が平面でかつ固い材質である場合にも乗客コンベア乗降時の乗客の滑りを低減させることができる。
【発明を実施するための最良の形態】
【０００８】
以下、この発明を実施するための最良の形態について、図面を参照して説明する。
実施の形態１．
図１は、この発明の実施の形態１によるエスカレータの乗降口を示す側面図である。
図において、トラス（図示せず）上には、一対の欄干１が立設されている。一対の欄干１の間には、複数の踏段２が走行可能に設けられている。踏段２の表面には、踏板３が取り付けられている。踏板３の表面には、エスカレータの進行方向に平行な複数のクリート３ａが設けられている。エスカレータ乗降口４の床部には、床板５が設けられている。一対の欄干１のニュアル部の間には、床板５に隣接する櫛板本体としての櫛板６が設けられている。
【０００９】
櫛板６の床板５側の端部と中間部との間には、エスカレータ乗降口４の床部に設置されたときに水平となる水平部６ａが設けられている。また、櫛板６の反床板５側の端部（先端部）には、クリート３ａと係合可能な櫛歯を有する櫛部材（櫛）７が設けられている。さらに、櫛板６の水平部６ａと櫛部材７との間には、エスカレータ乗降口４の床部に設置されたときに水平部６ａに対して下方へ傾斜する傾斜部６ｂが設けられている。
【００１０】
図２は、図１の櫛板６の一部を拡大して示す斜視図である。図３は、図２の突出部８を拡大して示す斜視図である。図において、櫛板６の傾斜部６ｂの表面には、複数の突出部（傾斜模様）８が互いに間隔をおいて設けられている。突出部８の正面である突出部正面（傾斜模様側面）８ａは、踏板３の進行方向に交差（直交）している。また、突出部正面８ａは、傾斜部６ｂの傾斜方向の上方へ向けられている。さらに、突出部正面８ａの形状は、矩形状である。ここで、全ての突出部８は、各突出部正面８ａが同一方向を向くように配置されている。
【００１１】
突出部８の上面である突出部上面（傾斜模様上面）８ｂは、突出部正面８ａの頂部（上辺）から傾斜部６ｂの傾斜方向の下方の傾斜部６ｂ表面へ傾斜している。従って、突出部上面８ｂの高さは、踏板３の進行方向の前後で異なっており、傾斜部６ｂの表面には、突出部８によって段差が形成されている。また、突出部８の断面形状は、突出部上面８ｂを斜辺とする三角形状となっている。
【００１２】
ここで、突出部８の加工方法の一例について説明する。櫛板６にプレス加工を施し、上下方向から圧力を掛けることによって櫛板６表面に突出部８が形成される。また、突出部８の加工方法の他の例では、エッチング媒体（例えば腐食剤等）によるエッチング加工を櫛板６表面に施すことによって、櫛板６表面に突出部８が形成される。さらに、突出部８の加工方法の他の例では、耐磨耗材等により成型された突出部８の形状の部材を櫛板６表面に貼設することによって、櫛板６表面に突出部８が形成される。
【００１３】
上記のようなエスカレータの櫛板では、突出部正面が踏板の進行方向に交差しており、突出部上面が突出部正面の頂部から下方へ傾斜している複数の突出部が櫛板の表面に互いに間隔をおいて設けられているので、突出部上面によって櫛板表面に段差が形成されて、乗客の履物の端部と突出部正面とが当接しやすくなっていることにより、乗客の履物の裏面が平面でかつ固い材質である場合にも乗客コンベア乗降時の乗客の滑りを低減させることができる。
【００１４】
また、櫛板の傾斜部に突出部が配置されているので、突出部正面がエスカレータ乗降時の乗客の体重を受けやすくなっていることにより、安定して乗客を支えることができ、エスカレータ乗降時の乗客の滑りをさらに低減させることができる。
【００１５】
実施の形態２．
次に、この発明の実施の形態２について説明する。
図４は、実施の形態２による突出部９を拡大して示す斜視図である。図において、実施の形態１の傾斜部６ｂの表面には、突出部正面８ａ及び突出部上面８ｂを有する突出部８が設けられていたが、実施の形態２の傾斜部６ｂの表面には、突出部正面９ａ及び突出部上面９ｂを有する突出部（突起模様）９が設けられている。突出部正面９ａの形状は、５角形状である。また、突出部正面９ａの頂部には、凸部９ｃが設けられている。他の構成は実施の形態１と同様である。
【００１６】
上記のようなエスカレータの櫛板では、突出部正面の頂部に凸部が設けられているので、乗客の履物の裏面と凸部との接触点に乗客の体重による圧力が集中して掛かり、乗客の履物の裏面に凸部が食い込むことにより、乗客の履物の裏面に凸部が引っ掛かり、乗客の履物の端部と突出部正面とが当接していない場合であっても、エスカレータ乗降時の乗客の滑りを低減させることができ、滑り止めとしての機能を向上させることができる。
【００１７】
なお、実施の形態２では、突出部正面９ａの形状が５角形状であったが、５角形状に限るものではなく、凸部が突出部正面の頂部に形成されていれば突出部正面の形状がどのようなものであってもよい。また、実施の形態２では、凸部９ｃが突出部正面９ａの頂部に１箇所だけ設けられていたが、凸部が突出部正面の頂部に複数箇所設けられていてもよい。即ち、突出部正面の頂部の形状が凹凸状であってもよい。
【００１８】
さらに、実施の形態１，２では、エスカレータの櫛板について説明したが、この発明は、動く歩道の櫛板にも適用できる。
【００１９】
さらにまた、実施の形態１，２では、突出部正面８ａ，９ａが傾斜部６ｂの傾斜方向の上方に向けられた突出部８，９が傾斜部６ｂの表面に設けられていたが、突出部正面が傾斜部の傾斜方向の下方に向けられた突出部が傾斜部表面に設けられていてもよい。また、突出部正面が傾斜部の傾斜方向の上方へ向けた突出部と、突出部正面が傾斜部の傾斜方向の下方へ向けた突出部とを組み合わせて傾斜部表面に設けてもよい。
【００２０】
さらに、実施の形態１，２では、櫛板６の傾斜部６ｂの表面にだけ突出部８が設けられていたが、櫛板の水平部の表面に突出部が設けられていてもよい。さらにまた、床板表面に突出部が設けられていてもよい。
【００２１】
また、実施の形態１，２では、突出部８の断面形状が３角形状であったが、３角形状に限るものではなく、例えば台形状であってもよい。
【図面の簡単な説明】
【００２２】
【図１】この発明の実施の形態１によるエスカレータ乗降口を示す側面図である。
【図２】図１の傾斜部の一部を拡大して示す斜視図である。
【図３】図２の突出部を拡大して示す斜視図である。
【図４】この発明の実施の形態２による突出部を拡大して示す斜視図である。
【符号の説明】
【００２３】
３  踏板、３ａ  クリート、４  エスカレータ乗降口（乗客コンベア乗降口）、６  櫛板（櫛板本体）、６ａ  水平部、６ｂ  傾斜部、７  櫛部材、８，９  突出部、８ａ，９ａ  突出部正面、８ｂ，９ｂ  突出部上面、９ｃ  凸部。
【図１】
2007331903.tif 000003
【図２】
2007331903.tif 000004
【図３】
2007331903.tif 000005
【図４】
2007331903.tif 000006